(57)【要約】      （修正有）【課題】外部オーディオ機器においてユーザーが再生させたい曲をより簡単に転送する技術を提供する。【解決手段】ＣＰＵ４１は、プログラムを、データをＲＡＭ５７に展開して実行を行う。フラッシュＲＯＭ４２は、楽曲操作履歴管理テーブル４２ａを格納している。ＵＳＢインターフェース５１は、楽曲送信装置へ楽曲操作履歴データを送信するとともに、楽曲送信装置にて送信した楽曲操作履歴データに基づいて選択された楽曲を、ＵＳＢインターフェース端子５３を介して、楽曲送信装置から受信する。操作部４３は、削除の操作をしたときはハードディスクドライブ４７内にある指定のあるいは全ての楽曲データを削除し、再生の操作をしたときはハードディスクドライブ４７内にある指定の楽曲データを再生し、スキップの操作をしたときは今再生している楽曲をスキップして次の楽曲を再生する。アンプ４５は、ヘッドフォン端子６１を介して外部に楽曲の音声を出力する。【選択図】図２
2006072033.tif 000002
【特許請求の範囲】
【請求項１】
コンテンツを記憶する第１のコンテンツ記憶部と、
外部からコンテンツ操作履歴情報を受信するとともに外部へコンテンツを送信する第１の外部インターフェースと、
外部から取得したコンテンツ操作履歴情報をもとに前記第１のコンテンツ記憶部内からコンテンツを選択するコンテンツ選択部と
を有するコンテンツ送信機器。
【請求項２】
外部から受信したコンテンツを記憶する第２のコンテンツ記憶部と、
該第２のコンテンツ記憶部に記憶されたコンテンツに関する操作を行うコンテンツ操作部と、
該コンテンツ操作部によるコンテンツ操作の履歴情報を記憶するコンテンツ操作履歴情報記憶部と、
該コンテンツ操作履歴記憶部に記憶されているコンテンツ操作履歴情報を外部に送信するとともに外部からコンテンツを受信する第２の外部インターフェースと
を有するコンテンツ受信機器。
【請求項３】
請求項１に記載のコンテンツ送信機器と請求項２に記載のコンテンツ受信機器とを含むコンテンツ送受信システムであって、
前記コンテンツ送信機器は、前記コンテンツ受信機器から前記コンテンツ操作履歴情報を受信し、取得したコンテンツ操作履歴情報をもとに前記第１のコンテンツ記憶部に記憶されたコンテンツを選択して前記コンテンツ受信機器へ送信することを特徴とするコンテンツ送受信システム。
【請求項４】
前記コンテンツ受信機器は、前記コンテンツ操作部の操作に応じて前記コンテンツ操作履歴情報を更新することを特徴とする請求項３に記載のコンテンツ送受信システム。
【請求項５】
前記コンテンツ受信機器は、前記コンテンツ送信機器へ前記コンテンツ操作履歴情報を送信して取得したコンテンツを前記第２のコンテンツ記憶部に記憶することを特徴とする請求項３又は４に記載のコンテンツ送受信システム。
【請求項６】
前記コンテンツ操作履歴情報は、コンテンツを再生した履歴を含むことを特徴とする請求項３から５までのいずれか１項に記載のコンテンツ送受信システム。
【請求項７】
前記コンテンツ操作履歴情報は、コンテンツを削除した履歴を含むことを特徴とする請求項３から６までのいずれか１項に記載のコンテンツ送受信システム。
【請求項８】
前記コンテンツ操作履歴情報は、コンテンツを削除禁止した履歴を含むことを特徴とする請求項３から７までのいずれか１項に記載のコンテンツ送受信システム。
【請求項９】
前記コンテンツ操作履歴情報は、コンテンツをスキップした履歴を含むことを特徴とする請求項３から８までのいずれか１項に記載のコンテンツ送受信システム。
【請求項１０】
前記コンテンツ操作履歴情報は、前記第２のコンテンツ記憶部の空き容量値を含むことを特徴とする請求項３から９までのいずれか１項に記載のコンテンツ送受信システム。
【請求項１１】
請求項６から１０までのいずれか１項に記載のそれぞれのコンテンツ操作履歴情報に、コンテンツを選択する際の優先順位が付されていることを特徴とするコンテンツ受信システム。
【請求項１２】
前記コンテンツ受信機器から前記コンテンツ操作履歴情報を受信するとともに前記コンテンツ受信機器へコンテンツを送信する第３の外部インターフェースと、
該第３の外部インターフェースから受信した前記コンテンツ操作履歴情報を前記コンテンツ送信機器へ送信するとともに該コンテンツ送信機器からコンテンツを受信する第４の外部インターフェースと
を有することを特徴とするコンテンツ転送機器。
【請求項１３】
前記コンテンツ送信機器は、コンテンツ配信サーバであり、前記コンテンツ転送機器はコンテンツ配信サーバとコンテンツ受信機器とを接続する中継端末でることを特徴とする請求項３から１１までのいずれか１項に記載のコンテンツ送受信システム。
【請求項１４】
それぞれが通信部を有するコンテンツ送信機器とコンテンツ受信機器とからなるコンテンツ送受信システムにおいて、
前記コンテンツ送信機器と前記コンテンツ受信機器との通信を確立するステップと、
前記コンテンツ受信機器が前記コンテンツ送信機器にコンテンツ操作履歴情報を送信するステップと、
前記コンテンツ送信機器が前記コンテンツ操作履歴情報に基づいてコンテンツを選択するステップと、
前記コンテンツ送信機器が、前記コンテンツ受信機器に対して、選択したコンテンツを送信するステップと、
前記コンテンツ受信機器が受信したコンテンツを記憶するステップと
を有するコンテンツ提供方法。
【請求項１５】
前記コンテンツの操作に従って前記コンテンツ受信機器が逐次操作履歴情報を更新するステップを有することを特徴とする請求項１４に記載のコンテンツ提供方法。
【請求項１６】
コンテンツ送信機器とコンテンツ受信機器とコンテンツ転送機器からなるコンテンツ送受信システムにおいて、
前記コンテンツ転送機器と前記コンテンツ受信機器との通信を確立するステップと、
前記コンテンツ受信機器が前記コンテンツ転送機器にコンテンツ操作履歴情報を送信するステップと、
前記コンテンツ転送機器が前記コンテンツ送信機器に前記コンテンツ操作履歴情報を転送するステップと、
前記コンテンツ送信機器が前記コンテンツ操作履歴情報に基づいてコンテンツを選択するステップと、
前記コンテンツ送信機器が前記コンテンツ転送機器に対して、選択したコンテンツを送信するステップと、
前記コンテンツ転送機器が前記コンテンツ受信機器に対して、受信したコンテンツを転送するステップと、
前記コンテンツ受信機器が受信したコンテンツを記憶するステップと
を有することを特徴とするコンテンツ提供方法。
【発明の詳細な説明】
【技術分野】
【０００１】
本発明は、コンテンツを送受信する技術に関し、特に、外部でのコンテンツを操作した履歴情報を取得して容易にコンテンツを送受信する技術に関する。
【背景技術】
【０００２】
従来から、パーソナルコンピュータ（ＰＣ）のアプリケーションソフトウエアにより、コンパクトディスクドライブに挿入した音楽コンパクトディスクから楽曲デジタル信号を読み出してハードディスクドライブに記録した楽曲デジタル信号を管理するとともに、メモリーカードやハードディスクなどの記録部を持った対応の外部オーディオ機器とパーソナルコンピュータとをＵＳＢケーブルで接続した後、外部オーディオ機器に転送したい楽曲を指定して転送する音楽管理の機能を有するソフトウエアが存在する。音楽データの転送には、パーソナルコンピュータのディスプレイ上に楽曲一覧を表示させ、マウス又はキーボードなどにより、転送したい楽曲を指定する操作を行う。
【０００３】
一方、個々の楽曲ではなく、転送したい楽曲を登録した楽曲リストを作成して楽曲リストを選択し、楽曲リストに基づいて登録されている楽曲を一括して転送する機能を搭載した技術も存在する。この手法を応用して楽曲を転送する操作を容易にする技術として、下記特許文献１に記載の技術がある。特許文献１に記載の技術は、脱着型メモリーを具えたデジタルメモリプレーヤと内蔵型メモリーを備えたパーソナルコンピュータとを互いに接続して構成される音楽コンテンツ転送システムである。このシステムにおいて、データ転送作業の簡易化を図るために、内蔵型メモリーからデジタルメモリプレーヤの脱着型メモリーへのデータ転送時にパーソナルコンピュータが脱着型メモリーの容量を含むお気に入り楽曲リストファイルを作成してこれを内蔵型メモリーに格納する。その後に、パーソナルコンピュータはデータ復元操作に応じてデジタルメモリプレーヤの脱着型メモリーと容量が一致するお気に入りリストファイルに含まれる複数の楽曲を、デジタルメモリプレーヤの脱着型メモリーへ一括して転送する。
【特許文献１】特開２００３−２９７９５号公報
【発明の開示】
【発明が解決しようとする課題】
【０００４】
しかしながら、パーソナルコンピュータのディスプレイ上に、楽曲一覧を表示させマウス又はキーボードにより転送したい楽曲を指定する操作は、メモリプレーヤの容量が小さく格納可能な音楽データ数が少ないうちは有効であったが、近年のように記憶部としてハードディスクが用いられるようになると、ハードディスクには大量の楽曲を記録し蓄積することが可能であり、転送したい曲を個々に選択する方法を用いると、時間と手間とがかかりすぎるようになってきた。
【０００５】
近年、製品化が進んできたハードディスクを備えた外部オーディオ機器では、転送可能な楽曲数は千曲以上にも及ぶため、転送のための手間はさらに大きくなりつつある。また、上記に開示されている技術では、脱着型メモリーに格納された楽曲を削除し、新しい楽曲リストにある楽曲により入れ替えた後、入れ替え後の楽曲を削除して再び前の楽曲に戻したい場合には、予めその前の楽曲を登録してあった楽曲リストを呼出せばよい。しかしながら、楽曲リストが１つもない場合や楽曲リストがあったとしてもどれも聴き飽きてしまい新規に転送したい楽曲の楽曲リストを作成したいなどの場合には、同様に楽曲を選ぶ手間がかかるという問題があった。
【０００６】
また、上記のいずれの技術においても、外部オーディオ機器に転送した楽曲を、再生した程度に応じて転送する曲を決めたい場合や“外部オーディオ機器で１回しか聴いていない曲をパーソナルコンピュータにある良く聴く曲に入れ替えたい”、“外部オーディオ機器で何度も聴いた曲をパーソナルコンピュータにある新しい曲に入れ替えたい”、などの機能を実現したい場合は、ユーザーが外部オーディオ機器で再生した楽曲を覚えておく必要があった。特に、再生した楽曲に加えて、それらが何回再生したかも含めて記憶するのはきわめて困難である。
【０００７】
また、パーソナルコンピュータでよく聴く曲を外部オーディオ機器に転送したい楽曲として選択する方法もあるが、パーソナルコンピュータが音楽再生機能をもたない場合、例えば、楽曲データを蓄積することに特化した楽曲蓄積サーバのような再生する機能をもたない場合には、再生することがないため、上記の技術を適用することができなかった。また、パーソナルコンピュータのような個人のものではなく、公衆のお店に設置されている楽曲を販売する端末である場合にも、ユーザーは端末を再生するためには端末を使用していないため、同様の楽曲を選択する方法を採用しにくい。この場合には、お店に行って、欲しい楽曲を最初から選択する操作を行う必要があり、手間がかかるという問題があった。
【０００８】
本発明の目的は、外部オーディオ機器においてユーザーが再生させたい曲をより簡単に転送する技術を提供することである。
【課題を解決するための手段】
【０００９】
本発明は、以下の処理を含んで構成されている。
１）コンテンツ提供機器は、外部からコンテンツ操作履歴情報を取得して、取得したコンテンツ操作履歴情報をもとに送信するコンテンツを特定して、特定したコンテンツを、コンテンツ操作履歴情報を取得した機器へ送信する。
２）コンテンツ受信機器は、コンテンツ操作履歴情報を外部に送信して、コンテンツを受信する。
【発明の効果】
【００１０】
外部オーディオ機器で再生した楽曲を分析してユーザーが外部オーディオ機器で再生させたいと思う楽曲を自動的に決定し、外部オーディオ機器に自動的に送る機能を実現させることができる。従って、転送したい楽曲を個々に選ばなくてもよく、多数の楽曲がある場合にも操作が簡単になるという利点がある。
【発明を実施するための最良の形態】
【００１１】
以下、本発明の一実施の形態によるコンテンツ記録再生システムについて楽曲送受信システムを例にし以下図面を参照しつつ説明を行う。図１は、本実施の形態による楽曲記録送受信システムに含まれる楽曲送信装置の一構成例を示す機能ブロック図である。図２は、図１に示す楽曲送信装置と対をなす楽曲受信装置の一構成例を示す機能ブロック図である。図３は、楽曲送信装置における楽曲送信処理の流れを示すフローチャート図である。図４は、楽曲受信装置における楽曲受信処理の流れを示すフローチャート図である。図５は、楽曲受信装置における楽曲操作履歴管理処理の流れを示すフローチャート図である。図６（Ａ）は、楽曲送信装置におけるフラッシュＲＯＭ（不揮発性メモリー）内蔵の楽曲管理テーブルの一構成例である。図６（Ｂ）は、楽曲送信装置におけるフラッシュＲＯＭ（不揮発性メモリー）内蔵の楽曲送信管理テーブルの一構成例を示す図である。図７は、楽曲受信装置における操作履歴管理テーブルの一構成例を示す図である。図８は、楽曲送信装置の表示部に表示される送信楽曲の決定操作画面の表示例を示す図である。
【００１２】
まず、図１を参照しつつ、本実施の形態による楽曲送受信システムに含まれる楽曲送信装置について説明する。図１に示すように、本実施の形態による楽曲送信装置Ａは、ＣＰＵ１と、フラッシュＲＯＭ（不揮発性メモリー）２と、操作部３と、アンプ５と、コンパクトディスク（媒体）駆動用のコンパクトディスクドライブ７と、表示部１１と、ハードディスクドライブ（記憶部）１５と、ＵＳＢインターフェース２１と、ＵＳＢインターフェース端子２３と、プログラムＲＯＭ３１と、ＲＡＭ３３と、を有しており、これらをＣＰＵ１により制御するためのバスラインＢＬ１が設けられている。
【００１３】
ＣＰＵ１は、プログラムＲＯＭ３１に記憶されたプログラムを、ＲＡＭ３３に展開して実行を行う。プログラムＲＯＭ３１は、楽曲送信プログラム３１ａと、楽曲選択プログラム３１ｂと、楽曲録音プログラム３１ｃと、を格納している。各プログラムの内容については後述する。フラッシュＲＯＭ（不揮発性メモリー）２は、書き込まれたデータは電源をオフにしても消えないメモリーである。フラッシュＲＯＭ（不揮発性メモリー）２は、楽曲管理テーブル２ａと、楽曲送信管理テーブル２ｂと、を格納している。各テーブルの内容については後述する。
【００１４】
ＵＳＢインターフェース２１は、楽曲受信装置とつながるインターフェースで、ここでは、楽曲受信装置から楽曲操作履歴データを受信するとともに、受信した楽曲操作履歴データに基づいて選択された楽曲を、ハードディスクドライブ（記憶部）１５からＵＳＢインターフェース端子２３を介して、楽曲操作履歴データを受信した楽曲受信装置へ送信する。受信した楽曲操作履歴データは、ＵＳＢインターフェース２１に接続された楽曲受信装置のユーザーの嗜好を反映しているため、ユーザーが新たに送って欲しい曲を推定することができる。コンパクトディスクドライブ７は、楽曲データを格納したコンパクトディスク２７を挿入することにより、操作部３で再生の操作をしたときはアンプ５を介して楽曲を再生し、操作部３で録音の操作をしたときはハードディスクドライブ１５内に楽曲データを記録する。アンプ５は、スピーカ２５を介して外部に楽曲の音声を出力する。尚、楽曲送信装置は、例えば据置型のオーディオコンポである。
【００１５】
次に、図２を参照しつつ、本実施の形態による楽曲送受信システムに含まれる楽曲受信装置について説明する。図２に示すように、本実施の形態による楽曲受信装置Ｂは、ＣＰＵ４１と、フラッシュＲＯＭ（不揮発性メモリー）４２と、操作部４３と、アンプ４５と、表示部５２と、ハードディスクドライブ（記憶部）４７と、ＵＳＢインターフェース５１と、ＵＳＢインターフェース端子５３と、プログラムＲＯＭ５５と、ＲＡＭ５７と、を有しており、これらをＣＰＵ４１により制御するためのバスラインＢＬ２が設けられている。
【００１６】
ＣＰＵ４１は、プログラムＲＯＭ５５に記憶されたプログラムを、データをＲＡＭ５７に展開して実行を行う。プログラムＲＯＭ５５は、楽曲受信プログラム５５ａと、楽曲操作履歴プログラム５５ｂと、楽曲操作プログラム５５ｃと、を格納している。各プログラムの内容については後述する。フラッシュＲＯＭ（不揮発性メモリー）４２は、書き込まれたデータは電源をオフにしても消えないメモリーである。フラッシュＲＯＭ（不揮発性メモリー）４２は、楽曲操作履歴管理テーブル４２ａを格納している。各テーブルの内容については後述する。
【００１７】
ＵＳＢインターフェース５１は、楽曲送信装置Ａとつながるインターフェースで、ここでは、楽曲送信装置Ａへ楽曲操作履歴データを送信するとともに、楽曲送信装置Ａにおいて送信した楽曲操作履歴データに基づいて選択された楽曲を、ＵＳＢインターフェース端子５３を介して、楽曲操作履歴データを送信した楽曲送信装置Ａから受信する。操作部４３は、削除の操作をしたときはハードディスクドライブ４７内にある指定のあるいは全ての楽曲データを削除し、再生の操作をしたときはハードディスクドライブ４７内にある指定の楽曲データを再生し、スキップの操作をしたときは今再生している楽曲をスキップして次の楽曲を再生する。アンプ４５は、ヘッドフォン端子６１を介して外部に楽曲の音声を出力する。    
【００１８】
尚、楽曲受信装置Ｂは、例えば携帯型のオーディオプレーヤーである。楽曲送信装置Ａと楽曲受信装置Ｂとは、ＵＳＢ以外の接続手段、例えば、ＩＥＥＥ１３９４による接続や、無線ＬＡＮによるネットワーク接続を行うことができるように構成されていても良い。楽曲の送受信や操作履歴データの送受信は、ユーザーの操作に基づき行われても良いし、或いは、接続に応じて自動的に同期がとれるようになっていても良い。
【００１９】
次に、楽曲送信装置ＡのプログラムＲＯＭ３１における、楽曲送信プログラム３１ａと、楽曲選択プログラム３１ｂと、楽曲録音プログラム３１ｃと、の各プログラム処理について説明する。図３は、楽曲送信プログラム３１ａと、楽曲選択プログラム３１ｂと、を１つにまとめたプログラム処理の一例である。本プログラムは楽曲受信装置が接続されると起動するようになっている。まず、楽曲送信装置Ａと楽曲受信装置Ｂとが接続されると、ステップＳ１において処理が開始され、ステップＳ２において楽曲送信装置Ａと楽曲受信装置Ｂとの通信を確立する。ステップＳ３において、楽曲送信装置Ａが楽曲受信装置Ｂから楽曲操作履歴管理テーブル４２ａのデータを受信する。ステップＳ４において、受信した楽曲操作履歴管理テーブル４２ａのデータと、楽曲送信装置Ａにある楽曲管理テーブル２ａと、楽曲送信管理テーブル２ｂと、を用いて、ハードディスク１５から送信する楽曲を決定する。
【００２０】
ここでは、決定過程において受信した楽曲操作履歴データを考慮することが特徴的なポイントであり、どのような曲を選択するかに関する曲決定の方針自体は一般的な方針、例えば、受信した楽曲操作履歴データをもとにユーザーの嗜好に合った曲を決定して送るような方針を採用しても良い。この際、例えば曲の決定と合わせて、楽曲送信管理テーブル２ｂに送信した楽曲が登録される。尚、送信する楽曲数は任意であるが、受信した楽曲操作履歴データに含まれるハードディスクドライブ４７の空き容量のバイト数値を参照して空き容量とできるだけ近い値になるように選択しても良い。
【００２１】
次に、ステップＳ５において、決定した楽曲を楽曲受信装置Ｂに送信する。送信後に、ステップＳ６において、楽曲受信装置Ｂとの通信を切断し、処理を終了する（ステップＳ７）。楽曲録音プログラム３１ｃのプログラムは、操作部３で録音の操作をしたときに起動して、コンパクトディスクドライブにある全ての楽曲データをハードディスクドライブ１５内に記録して終了する処理をＣＰＵ１に実行させるためのプログラムである。
【００２２】
次に、楽曲受信装置ＢのプログラムＲＯＭ５５における、楽曲受信プログラム５５ａと、楽曲操作履歴管理プログラム５５ｂと、楽曲操作プログラム５５ｃと、の各プログラム処理について説明する。図４は、楽曲受信プログラム５５ａに基づく処理の流れを示す一例である。本実施の形態による楽曲受信プログラム５５ａは、楽曲受信装置Ｂが楽曲送信装置Ａに接続されると、接続イベントを検出すると起動するように構成されている。まず、楽曲受信装置Ｂが楽曲送信装置Ａとの接続を検出すると、ステップＳ１１において処理を開始し、ステップＳ１２において、楽曲受信装置Ｂは楽曲送信装置Ａとの通信を確立する。ステップＳ１３において、フラッシュＲＯＭ（不揮発性メモリー）４２に格納されている楽曲操作履歴管理テーブル４２ａのデータを送信する。次いで、ステップＳ１４において楽曲を受信しハードディスクドライブ４７に記録する。ステップＳ１５において楽曲送信装置Ａとの通信を切断し、処理を終了する（ステップＳ１６）。
【００２３】
図５は、楽曲操作履歴管理プログラム５５ｂをＣＰＵ４１により実行した際の処理の流れの一例を示す図である。本プログラム５５ｂによる処理は、操作部４３において所定の操作をした場合に起動するようになっている。まず、操作部４３により操作がなされると、ステップＳ３１において処理が開始ｓだれ、ステップＳ３２において楽曲操作履歴管理テーブル４２ａを各操作に応じて更新し処理を終了する（ステップＳ３３）。楽曲操作履歴管理テーブル４２ａを更新する操作は、削除の操作と、削除禁止（保護）の操作と、再生の操作と、スキップの操作と、を含み、楽曲操作履歴管理テーブル４２ａの各操作に応じたパラメータが更新される。
【００２４】
楽曲操作プログラム５５ｃは、操作部４３で操作をした際に起動するように構成されている。まず、削除の操作、削除禁止の操作、再生の操作、スキップの操作のうち、いずれの操作がなされたかを判定し、削除の操作をした際は、ハードディスクドライブ４７内にある指定された特定の又は全ての楽曲データを削除するプログラムである。また、削除禁止の操作をした場合には、ハードディスクドライブ４７内にある指定された特定の又は全ての楽曲データを削除禁止にする。再生の操作をした場合には、ハードディスクドライブ４７内にある指定された楽曲データを再生し、スキップの操作をした際には、現在再生中の楽曲をスキップして次の楽曲を再生し、処理を終了する。
【００２５】
次に、図６（Ａ）を参照しつつ楽曲送信装置ＡのフラッシュＲＯＭ２に記憶される楽曲管理テーブルについて、図６（Ｂ）を参照して楽曲送信装置ＡのフラッシュＲＯＭ２に記憶される楽曲送信管理テーブルについて説明する。さらに、図７を参照しつつ、楽曲受信装置ＢのフラッシュＲＯＭ４２に記憶される楽曲操作管理テーブルについて説明する。
【００２６】
まず、図６（Ａ）に示すように、楽曲送信装置ＡのフラッシュＲＯＭ（不揮発性メモリー）２に記憶される楽曲管理テーブルは、ハードディスクドライブ１５に記憶されている全ての楽曲のそれぞれの楽曲情報が管理されており、楽曲管理テーブルのパラメータは、楽曲毎にユニークな楽曲ＩＤと、楽曲名と、アーティストＩＤと、アーティスト名と、から構成されている。楽曲ＩＤは、楽曲送信装置が各楽曲を認識するためのものである。楽曲名は、楽曲送信装置のユーザーが各楽曲を認識するためのものである。アーティストＩＤは、楽曲送信装置が各楽曲のアーティストを認識するためのものである。アーティスト名は、楽曲送信装置のユーザーが各楽曲のアーティストを認識するためのものである。
【００２７】
図６（Ｂ）に示すように、楽曲送信装置ＡのフラッシュＲＯＭ２に記憶される楽曲送信管理テーブルにより、本実施の形態による楽曲送信装置Ａから過去の接続された全ての楽曲受信装置Ｂに送信した楽曲情報が管理されている。楽曲送信管理テーブルのパラメータは、過去に接続して楽曲を送信した楽曲受信装置の機器ＩＤと、該楽曲受信装置毎に、過去に転送した楽曲の楽曲ＩＤのリストと、から構成されている。過去に接続して楽曲を送信した楽曲受信装置の機器ＩＤは楽曲送信装置が楽曲受信装置を認識するためのものである。転送した楽曲の楽曲ＩＤのリストは楽曲送信装置が楽曲受信装置へ転送した楽曲を認識するためのものである。
【００２８】
図７に示すように、楽曲受信装置ＢのフラッシュＲＯＭ４２に記憶される楽曲操作履歴管理テーブルにおいて、楽曲操作履歴管理テーブルの各パラメータは、ハードディスクドライブ４７に記憶されている各楽曲の楽曲を再生した回数と、再生中に楽曲をスキップした回数と、楽曲を削除したか否かのフラグと、ハードディスクドライブ４７の空き容量のバイト数値と、を含んで構成されている。
【００２９】
楽曲を再生した回数値を参照することにより、楽曲受信装置Ｂのユーザーが頻繁に視聴する楽曲であると推定される。再生中に楽曲をスキップした回数値を参照することにより、楽曲受信装置Ｂのユーザーがその曲は再生したが、あまり関心がわかなかったと推定される。楽曲を削除したか否かのフラグを参照することにより、楽曲受信装置Ｂのユーザーがもう不要であると判断したものと推定される。ハードディスクドライブ４７の空き容量のバイト数値を参照することにより、楽曲送信装置Ａが、楽曲受信装置Ｂのハードディスクドライブ４７の空き容量がどのくらいであり、楽曲をどの程度まで送信できるかを判断することができる。
【００３０】
尚、楽曲操作履歴管理テーブルは、別の機器ＩＤを有する楽曲受信装置（例えば別の楽曲受信装置Ｃ（図９））が楽曲送信装置Ａとは異なる楽曲送信装置と接続された場合は、この異なる楽曲送信装置にある楽曲受信装置Ｃの楽曲送信管理テーブルと楽曲受信装置Ｃから受信した操作履歴データとに基づいてコンテンツ選択がされ、楽曲送信装置Ａから楽曲受信装置Ｃに楽曲が送られる。また、楽曲受信装置Ｃが楽曲送信装置Ａのテーブルに登録されていない場合には、楽曲受信装置Ｃ用の領域が新たに作られる。また、本実施の形態では、受信した操作履歴データは、受信した最新の操作履歴データのみを使い、過去に受信した操作履歴データは保存していないが、逐次保存をするようにして受信の都度更新をするようにしてもよい。
【００３１】
楽曲操作履歴管理テーブルには、上記の項目の他に、楽曲のプロテクト（保護）やハードディスクドライブ４７の空き容量値を加えてもよい。楽曲のプロテクト（保護）を用いた場合には、楽曲受信装置では、ハードディスクドライブ４７の楽曲のプロテクト（保護）の機能を設け、例えばどうしても削除されたくない楽曲はプロテクトをできるようにし、楽曲送信装置と接続された際には、プロテクトされていない（再生はしたが、プロテクトされていない）楽曲は、新しい楽曲を送信して上書きできるようにしてもよい。このようにすれば、楽曲受信装置に必ず残したい楽曲以外は全て入替えとする機能を実現することができる。
【００３２】
また、プロテクトされている楽曲はユーザーが最も必要としている楽曲とみなすこともできる。従って、この楽曲のアーティストの楽曲や、似た曲調の楽曲を選択してもよい。尚、この場合、楽曲操作履歴管理テーブルのプロテクトの情報だけは、転送後もリセットせずに残すように構成するのが好ましい。また、項目がハードディスクドライブ４７の空き容量値の場合には、楽曲送信装置Ａが楽曲を選択する場合に何曲選択して転送できるかを判断する判断材料とすることができる。
【００３３】
図８に示すように、表示例７１においては、例えば、１．接続機器で再生された楽曲の一覧表示と、２．接続機器で再生された曲のアーティスト一覧表示、とが選択可能な項目として表示されている。例えば、１を選択すると、表示例７３に再生された楽曲の一覧が表示される。楽曲データの転送（７３ａ）、再生用アイコン（７３ｂ）の選択が可能になっている。２を選択すると、表示例７５としてアーティスト一覧が表示され、同様に楽曲データの転送（７５）、再生（７５ｂ）の選択が可能になっている。
【００３４】
ここで、表示例２において、接続された楽曲受信装置において再生された履歴のある楽曲のアーティスト欄表示から選択したアーティストに関する楽曲が一括して楽曲受信装置Ｂに送られる。従って、楽曲受信装置Ｂにおいて、送られたアーティストの楽曲を全て再生して楽しむことができる。一括して送られた楽曲のうち、既に楽曲受信装置に格納されている楽曲も含めて送ること、除外して送ること、既に記憶済みの楽曲を削除して全曲送ること、のいずれも設定により可能となっている。削除して全曲を送ると同じ楽曲がダブって記憶されることがないため、アーティスト欄に基づいて選択された楽曲を一括して管理することができる。その他、年代、曲のジャンルなどの欄に基づいて選択された楽曲を一括送信することも可能である。
【００３５】
以上、本実施の形態による楽曲提示システムによれば、楽曲受信装置における再生履歴などの操作履歴に基づいて楽曲送信装置から送信する曲を決定するため、多数の楽曲を保持することができる外部オーディオ機器において、ユーザーに意識させない状態でユーザーが再生させたい曲を推定し、より簡単に転送することが可能になるという利点がある。例えば、ユーザーが、楽曲送信装置に大量の音楽を蓄えておき、外ではポータブルの楽曲受信装置に転送して楽曲を聴くシステムに適用すれば、ユーザーは、楽曲送信装置と楽曲受信装置とを接続しただけで、わざわざほしい楽曲を選択することなく楽曲送信装置が自動的に選択して楽曲受信装置に送信してくれる。従って、楽曲選択のための時間がない場合には特別の操作を行うことなく、楽曲が楽曲受信装置に蓄えられ外出時においても好みの楽曲を聴くことができる。
【００３６】
尚、コンテンツ操作履歴情報は、例えば、コンテンツを再生した履歴、コンテンツを削除した履歴、コンテンツを削除禁止した履歴、コンテンツをスキップした履歴、コンテンツ記憶部の空き容量値などを含む。複数のコンテンツ操作履歴情報を考慮する場合には、それぞれのコンテンツ操作履歴情報に、コンテンツを選択する際に考慮する優先順位を付けておき、優先順位の高い順にコンテンツを選択するようにしても良い。
【００３７】
次に、本発明の第２の実施の形態による楽曲送受信システムについて図面を参照しつつ説明を行う。本実施の形態による楽曲送受信システムにおいては、第１の実施の形態における楽曲送信機器が楽曲配信サーバー、第１の実施の形態における楽曲受信機器はユーザーのポータブル型楽曲プレーヤーに置き換えられており、加えて、楽曲配信サーバーと楽曲受信機器とを接続する中継端末として機能する楽曲転送機器を設けて構成されている。楽曲送信機器と楽曲受信機器とは本発明の第１の実施の形態と同様の機器を適用できるためここでの説明は省略する。
【００３８】
図９に示すように、本実施の形態による楽曲転送装置Ｃは、ＣＰＵ１０１と、操作部１１３と、アンプ１１５と、表示部１１１と、ＵＳＢインターフェース１２１と、インターネットを介して楽曲を配信する楽曲配信サーバー１１５と接続するインターネットインターフェース１２２と、インターネットインターフェース端子１５３と、ＵＳＢインターフェース端子１２３と、プログラムＲＯＭ１３１と、ＲＡＭ１３３と、を有している。さらに、これらをＣＰＵ１０１により制御するためのバスラインＢＬ３が設けられている。
【００３９】
ＣＰＵ１０１は、プログラムＲＯＭ１３１に記憶されたプログラムを、データをＲＡＭ１３３に展開して処理を実行する。プログラムＲＯＭ１３１は、楽曲操作履歴管理テーブルを転送する楽曲操作履歴転送プログラム１３１ｂと、楽曲データ転送プログラム１３１ａと、を格納している。各プログラムの内容については後述する。楽曲転送装置Ｃは、楽曲受信装置Ｂとは、例えばＵＳＢインターフェース端子１２３を介して、楽曲配信サーバー１１５とはインターネットインターフェース端子１５３を介して接続されている。
【００４０】
上記構成を有する楽曲送受信システムにおいて、楽曲配信サーバー１１５と楽曲転送装置Ｃとはインターネットにより常時接続されている。そして、楽曲転送装置Ｃと楽曲受信装置ＢとがＵＳＢインターフェース端子１２３を介して接続されると、楽曲受信装置ＢのフラッシュＲＯＭ４２（図２）に記憶されている楽曲操作履歴テーブル４２ａ（図２）のデータが楽曲転送装置Ｃに送信される。楽曲送信装置Ｃが受信した楽曲操作履歴テーブル４２ａ（図２）のデータは、インターネットインターフェース１２２よりインターネットを介して楽曲配信サーバー１１５に転送される。楽曲配信サーバー１１５では、受信した楽曲操作履歴データに基づいて、配信するのに適した楽曲データを選択し、選択した楽曲データをインターネット経由で楽曲転送装置Ｃに送信する。楽曲送信装置Ｃでは、この受信した楽曲データを、ＵＳＢインターフェース端子１２３を介して楽曲受信装置Ｂに転送する。
【００４１】
尚、楽曲配信サーバー１１５は、検索結果の楽曲のリストを、一度楽曲送信装置Ｃに送信して、備えられている表示部１１１にその楽曲の一覧を表示し、操作部１１３を用いてユーザーが必要とする楽曲を選択決定できるようにして、選択決定した楽曲を識別する情報を楽曲配信サーバー１１５に送り、楽曲配信サーバー１１５がその選択された楽曲データを、楽曲転送装置Ｃを介して楽曲受信装置Ｂに送信するようにしてもよい。
【００４２】
以上、本実施の形態による楽曲送受信システムによれば、例えば、楽曲配信サーバーはインターネットの音楽配信サービスで、楽曲送信装置はコンビニエンスストアなどの店頭にある音楽配信サービスの楽曲購入端末、楽曲受信装置はユーザーのポータブル型のハードディスクを備えた楽曲記録再生装置とすると、ユーザーがいつも使っている楽曲記録再生装置をお店に持って行き楽曲購入端末とつなげば、簡単な操作でおすすめの楽曲を音楽配信サービスから教えてもらうことができ、簡単な操作で多くの楽曲を購入することができるようになる。
【００４３】
以上に説明したように、本実施の形態による楽曲送受信システムによれば、楽曲送信装置から楽曲受信装置に楽曲を転送する際に、楽曲受信装置における操作履歴に基づいてユーザーの操作の傾向に合うように送る曲を選択するため、ユーザーが意識することなくユーザーの好みの楽曲を楽曲受信装置に送ることができる。従って、楽曲受信装置においてユーザーが再生させたい曲をより簡単に転送することができる。尚、上記各実施の形態においては、コンテンツのうち楽曲コンテンツに関連する技術を例にして説明したが、他のコンテンツ、例えば映像コンテンツや文章コンテンツなどに関しても同様に実施することができる。また、削除の操作、再生の操作、スキップの操作の操作履歴に応じてコンテンツを選択する方法について説明したが、他の操作履歴に基づいて送信するコンテンツを選択することも可能である。
【００４４】
また、コンテンツ受信装置の操作履歴に応じてコンテンツ受信装置のためのコンテンツを決定するように、送信装置において操作履歴をもとにコンテンツを選択して活用するようにしても良い。例えば、コンテンツ受信再生装置が家庭内の楽曲再生装置で、外で聞いた楽曲の傾向に合わせて、家では楽曲送信装置で楽曲を聴きたい場合、外で聴いていない楽曲を再生させたい場合などに適用できる。
【産業上の利用可能性】
【００４５】
本発明は、様々なコンテンツの再生装置へのコンテンツ送信技術に適用することができる。
【図面の簡単な説明】
【００４６】
【図１】本発明の第１の実施の形態による楽曲提示システムに含まれる楽曲送信装置の一構成例を示す機能ブロック図である。
【図２】図１に示す楽曲送信装置と対をなす楽曲受信装置の一構成例を示す機能ブロック図である。
【図３】楽曲送信処理の流れを示すフローチャート図である。
【図４】楽曲受信処理の流れを示すフローチャート図である。
【図５】楽曲操作履歴管理処理の流れを示すフローチャート図である。
【図６】図６（Ａ）は、楽曲送信装置における楽曲管理テーブルの一構成例であり、図６（Ｂ）は、楽曲送信装置における楽曲送信管理テーブルの一構成例である。
【図７】操作履歴管理テーブルの一構成例を示す図である。
【図８】図１に示す楽曲送信装置の表示部に表示される表示例を示す図である。
【図９】本発明の第２の実施の形態による楽曲転送装置の一構成例を示す機能ブロック図である。
【符号の説明】
【００４７】
Ａ…楽曲送信装置、１…ＣＰＵ、２…フラッシュＲＯＭ、３…操作部、５…アンプ、７…コンパクトディスク（媒体）駆動用のコンパクトディスクドライブ、１１…表示部、１５…ハードディスクドライブ（記憶部）、２１…ＵＳＢインターフェース部、２３…ＵＳＢインターフェース端子、３１…ＲＯＭ、３１ａ…楽曲送信プログラム、３１ｂ…楽曲選択プログラム、３１ｃ…楽曲録音プログラム、３３…ＲＡＭ、ＢＬ１…バスライン、Ｂ…楽曲受信装置（外部オーディオ装置）、４２…フラッシュＲＯＭ、４３…操作部、５３…ＵＳＢインターフェース端子、５５…ＲＯＭ、５５ａ…楽曲受信プログラム、５５ｂ…楽曲操作履歴管理プログラム、５５ｃ…楽曲操作プログラム、５７…ＲＡＭ、６１…ヘッドフォン端子
【図１】
2006072033.tif 000003
【図２】
2006072033.tif 000004
【図３】
2006072033.tif 000005
【図４】
2006072033.tif 000006
【図５】
2006072033.tif 000007
【図６】
2006072033.tif 000008
【図７】
2006072033.tif 000009
【図８】
2006072033.tif 000010
【図９】
2006072033.tif 000011